(57)【特許請求の範囲】
【請求項１】
第１の記憶部を有するタクシーメータと、
第２の記憶部と、制御部と、を有するシステム機器と、
を備えた設定変更システムであって、
前記第１の記憶部は、
設定値が第１の設定項目毎に割り当てられた第１のデータ群を記憶し、
前記第２の記憶部は、
設定値が第２の設定項目毎に割り当てられた第２のデータ群を記憶し、
前記制御部は、
前記第１の設定項目及び前記第２の設定項目のうちの互いに共通する設定項目である共通項目の中から任意に選択して定められた選択項目について、前記第１の記憶部に記憶された前記第１のデータ群のうちの前記選択項目に対応する設定値が第１の設定値に書き換えられた場合、前記第２の記憶部に記憶された前記第２のデータ群のうちの前記選択項目に対応する第２の設定値を、前記第１の設定値に書き換える、
設定変更システム。
【請求項２】
第１の記憶部と、第１の制御部と、第１の通信部と、を有するタクシーメータと、
第２の記憶部と、第２の通信部と、第２の制御部と、を有するシステム機器と、
を備えた設定変更システムであって、
前記第１の記憶部は、設定値が第１の設定項目毎に割り当てられた第１のデータ群を記憶し、
前記第２の記憶部は、設定値が第２の設定項目毎に割り当てられた第２のデータ群を記憶し、
前記タクシーメータにおいて、
前記第１の制御部が、前記第１の設定項目及び前記第２の設定項目のうちの互いに共通する設定項目である共通項目の中から任意に選択して定められた選択項目について、前記第１の記憶部に記憶された前記第１のデータ群のうちの前記選択項目に対応する設定値が第１の設定値に書き換えられたことを検出した場合、前記第１の通信部が、前記第１の設定値を前記システム機器に送信し、
前記システム機器において、
前記第２の通信部が、前記タクシーメータから送信された前記第１の設定値を受信し、
前記第２の制御部が、前記第２の記憶部に記憶された前記第２のデータ群のうちの前記選択項目に対応する第２の設定値を、前記第１の設定値に書き換える、
設定変更システム。
【請求項３】
第１の記憶部と、第１の制御部と、を有するタクシーメータと、
第２の記憶部と、第２の制御部と、を有するシステム機器と、
前記タクシーメータ及び前記システム機器に着脱自在に取付けられる可搬型の記憶媒体と、
を備えた設定変更システムであって、
前記第１の記憶部は、設定値が第１の設定項目毎に割り当てられた第１のデータ群を記憶し、
前記第２の記憶部は、設定値が第２の設定項目毎に割り当てられた第２のデータ群を記憶し、
前記タクシーメータにおいて、
前記第１の制御部が、前記第１の設定項目及び前記第２の設定項目のうちの互いに共通する設定項目である共通項目の中から任意に選択して定められた選択項目について、前記第１の記憶部に記憶された前記第１のデータ群のうちの前記選択項目に対応する設定値が第１の設定値に書き換えられたことを検出した場合、前記第１の設定値を前記記憶媒体に書き込み、
前記システム機器において、
前記第２の制御部が、前記記憶媒体から前記第１の設定値を読み取り、前記第２の記憶部に記憶された前記第２のデータ群のうちの前記選択項目に対応する第２の設定値を、第１の設定値に書き換える、
設定変更システム。
【発明の詳細な説明】
【技術分野】
【０００１】
本発明は、タクシーメータ及び当該タクシーメータに付随して使用されるシステム機器を含んで構成される設定変更システムに関する。
【背景技術】
【０００２】
タクシーメータは、タクシー等の車両に搭載され、車両の走行距離等に応じた賃走料金を、認可を受けた料金制に基づいて算出して逐次表示する機器である。
【０００３】
タクシー事業者は、例えば料金制が改定された場合等には、改定後の料金制に対応するように、タクシーメータ内部に記憶されている設定を変更する必要がある（特許文献１又は特許文献２参照。）。
【先行技術文献】
【特許文献】
【０００４】
【特許文献１】特開２００２―３１２８１１号公報
【特許文献２】特開２００７―２５７０５４号公報
【発明の概要】
【発明が解決しようとする課題】
【０００５】
特許文献１に開示されているタクシーメータは、外部より無線により料金制データの書き込みが可能なタクシーメータである。
【０００６】
特許文献２に開示されているタクシーメータは、設定変更作業に使用した外部記憶手段である設定変更用メモリーカードに、設定変更の終わったタクシーメータとこれを搭載したタクシー車両に関する正確な特定情報が面倒な作業無しに自動的に収集されることにより、設定変更されてタクシーメータを正確に把握し、設定変更されるべきでないタクシーメータの設定変更、即ち、タクシーメータの改竄を未然に防止可能なタクシーメータである。
【０００７】
ところで、タクシーの中には、タクシーメータだけではなく、タクシーメータに付随して使用されるシステム機器、例えば領収書を発行するためのプリンタ等を搭載した車両がある。タクシー事業者は、タクシーメータの設定を変更した場合には、この変更に対応するように、当該タクシーメータに付随するシステム機器の設定を変更する必要がある場合がある。
【０００８】
しかしながら、特許文献１及び特許文献２に開示されたタクシーメータでは、タクシーメータ及びシステム機器の設定の変更には、煩雑な作業が必要であった。
【０００９】
本発明は、上述した事情に鑑みてなされたものであり、その目的は、作業者がタクシーメータ及びシステム機器の設定変更をより容易に行うことができる設定変更システムを提供することにある。
【課題を解決するための手段】
【００１０】
前述した目的を達成するために、本発明に係る設定変更システムは、下記（１）〜（３）を特徴としている。
（１）  第１の記憶部を有するタクシーメータと、
第２の記憶部と、制御部と、を有するシステム機器と、
を備えた設定変更システムであって、
前記第１の記憶部は、
設定値が第１の設定項目毎に割り当てられた第１のデータ群を記憶し、
前記第２の記憶部は、
設定値が第２の設定項目毎に割り当てられた第２のデータ群を記憶し、
前記制御部は、
前記第１の設定項目及び前記第２の設定項目のうちの互いに共通する設定項目である共通項目の中から任意に選択して定められた選択項目について、前記第１の記憶部に記憶された前記第１のデータ群のうちの前記選択項目に対応する設定値が第１の設定値に書き換えられた場合、前記第２の記憶部に記憶された前記第２のデータ群のうちの前記選択項目に対応する第２の設定値を、前記第１の設定値に書き換える、
こと。
（２）  第１の記憶部と、第１の制御部と、第１の通信部と、を有するタクシーメータと、
第２の記憶部と、第２の通信部と、第２の制御部と、を有するシステム機器と、
を備えた設定変更システムであって、
前記第１の記憶部は、設定値が第１の設定項目毎に割り当てられた第１のデータ群を記憶し、
前記第２の記憶部は、設定値が第２の設定項目毎に割り当てられた第２のデータ群を記憶し、
前記タクシーメータにおいて、
前記第１の制御部が、前記第１の設定項目及び前記第２の設定項目のうちの互いに共通する設定項目である共通項目の中から任意に選択して定められた選択項目について、前記第１の記憶部に記憶された前記第１のデータ群のうちの前記選択項目に対応する設定値が第１の設定値に書き換えられたことを検出した場合、前記第１の通信部が、前記第１の設定値を前記システム機器に送信し、
前記システム機器において、
前記第２の通信部が、前記タクシーメータから送信された前記第１の設定値を受信し、
前記第２の制御部が、前記第２の記憶部に記憶された前記第２のデータ群のうちの前記選択項目に対応する第２の設定値を、前記第１の設定値に書き換える、
こと。
（３）  第１の記憶部と、第１の制御部と、を有するタクシーメータと、
第２の記憶部と、第２の制御部と、を有するシステム機器と、
前記タクシーメータ及び前記システム機器に着脱自在に取付けられる可搬型の記憶媒体と、
を備えた設定変更システムであって、
前記第１の記憶部は、設定値が第１の設定項目毎に割り当てられた第１のデータ群を記憶し、
前記第２の記憶部は、設定値が第２の設定項目毎に割り当てられた第２のデータ群を記憶し、
前記タクシーメータにおいて、
前記第１の制御部が、前記第１の設定項目及び前記第２の設定項目のうちの互いに共通する設定項目である共通項目の中から任意に選択して定められた選択項目について、前記第１の記憶部に記憶された前記第１のデータ群のうちの前記選択項目に対応する設定値が第１の設定値に書き換えられたことを検出した場合、前記第１の設定値を前記記憶媒体に書き込み、
前記システム機器において、
前記第２の制御部が、前記記憶媒体から前記第１の設定値を読み取り、前記第２の記憶部に記憶された前記第２のデータ群のうちの前記選択項目に対応する第２の設定値を、第１の設定値に書き換える、
こと。
【００１１】
上記（１）の構成の設定変更システムによれば、第１の記憶部に記憶された第１のデータ群のうちの特定の選択項目に対応する設定値が第１の設定値に書き換えられた場合、第２の記憶部に記憶された第２のデータ群のうちの選択項目に対応する第２の設定値が、第１の設定値に書き換えられる。
上記（２）の構成の設定変更システムによれば、タクシーメータとシステム機器とが通信して設定値の書き換えに関する情報を授受することにより、第１の記憶部に記憶された第１のデータ群のうちの特定の選択項目に対応する設定値が第１の設定値に書き換えられた場合、第２の記憶部に記憶された第２のデータ群のうちの選択項目に対応する第２の設定値が、第１の設定値に書き換えられる。
上記（３）の構成の設定変更システムによれば、タクシーメータとシステム機器とが記憶媒体を介して設定値の書き換えに関する情報を授受することにより、第１の記憶部に記憶された第１のデータ群のうちの特定の選択項目に対応する設定値が第１の設定値に書き換えられた場合、第２の記憶部に記憶された第２のデータ群のうちの選択項目に対応する第２の設定値が、第１の設定値に書き換えられる。
【発明の効果】
【００１２】
本発明の設定変更システムによれば、作業者がタクシーメータ及びシステム機器の設定変更をより容易に行うことができる設定変更システムを提供できる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は、第１の実施形態に係る設定変更システムのハードウェアの構成例を示すブロック図である。
【図２】図２は、第１の実施形態に係る設定変更システムにおけるタクシーメータ及びプリンタの主要な動作を示すシーケンス図である。
【図３】図３は、第２の実施形態に係る設定変更システムのハードウェアの構成例を示すブロック図である。
【図４】図４は、第２の実施形態に係る設定変更システムにおけるタクシーメータの主要な動作を示すフローチャートであり、図４（ａ）は設定変更時の主要な動作を示し、図４（ｂ）は営業データの書き込み時の主要な動作を示している。
【図５】図５は、第２の実施形態に係る設定変更システムにおける事務所システムの設定変更時及び営業データの読み出し時の主要な動作を示すフローチャートである。
【発明を実施するための形態】
【００１５】
本発明の設定変更システムに関する具体的な実施形態について、各図を参照しながら以下に説明する。
【００１６】
［第１の実施形態］
図１は、第１の実施形態に係る設定変更システム１００のハードウェアの構成例を示すブロック図である。第１の実施形態に係る設定変更システム１００は、図１に示すように、タクシーメータ１０と、タクシーメータ１０に付随して使用されるシステム機器であるプリンタ２０と、から構成される。タクシーメータ１０及びプリンタ２０は、例えばタクシーの車両内部に取付けられ、互いに通信可能な状態で接続される。第１の実施形態に係る設定変更システム１００は、これらタクシーメータ１０及びプリンタ２０の設定を変更するためのシステムである。以下では、まず、タクシーメータ１０を構成する各要素について説明する。
【００１７】
図１に示すように、タクシーメータ１０は、制御部（ＣＰＵ：Central Processing Unit）１１、表示部１２、操作部１３、ＲＡＭ（Random Access Memory）１４、ＲＯＭ（Read Only Memory）１５、ＥＥＰＲＯＭ（Electorically Erasable Programmable Read Only Memory）１６、外部インタフェース（以下、インタフェースをＩ／Ｆと略記する。）１７、メモリーカードＩ／Ｏ部１８、及び設定カードＩ／Ｏ部１９を備えている。
【００１８】
制御部１１は、マイクロコンピュータ（ＣＰＵ）により構成されている。制御部１１は、予め用意されたプログラムを実行し、タクシーメータ１０の機能を実現するために必要な様々な処理及び後述する設定変更に関する処理等を行う。例えば、図２のシーケンス図に示した処理のうち、タクシーメータ１０に関する処理を制御部１１が行う。
【００１９】
表示部１２は、液晶表示器（ＬＣＤ）であり、運賃の金額の表示の他、各種の表示を行う。
【００２０】
操作部１３は、乗務員が操作できるようにタクシーメータ１０の前面パネル上に配置されており、多数の操作ボタンにより構成されている。例えば、タリフ操作ボタン等の専用操作ボタンの他、設定によって任意の操作ボタンとして使用できるオプションボタンを有し、操作ボタンの操作によって発生される操作信号を制御部１１に出力する。
【００２１】
ＲＡＭ１４は、データの読み書きが自在のメモリ（ＲＡＭ）で構成されており、タクシーメータ１０により収集された営業データの他、一時的に使用する各種データを保持するために利用される。また、例えば、後述する図３のステップＳ３２における共通項目変更フラグがＲＡＭ１４上に保持される。
【００２２】
ＲＯＭ１５は、読み出し専用メモリ（ＲＯＭ）で構成されており、制御部１１が実行すべきプログラムや必要なデータを予め保持している。ＲＯＭ１５には、後述する本発明に関わる処理動作を行う制御プログラムも予め格納されている。例えば、制御部１１は、この制御プログラムにしたがって、ＥＥＰＲＯＭ１６に格納されている各種設定項目の設定値を設定カード５０から読み出した設定変更データに書き換えたりする。また、ＲＯＭ１５には、後述する共通項目に関するデータも予め格納されている。
【００２３】
ＥＥＰＲＯＭ１６は、電気的に書き換え可能なメモリであり、運賃の算出基準となる基本料金、深夜早朝割増率、基本走行距離、迎車料金、及び消費税率等のタクシーメータ１０が有する各種設定項目の設定値データが格納されている。本明細書中では、タクシーメータ１０の設定項目毎に設定値が割り当てられた、ＥＥＰＲＯＭ１６に格納されるデータ群を、第１のデータ群と称する場合がある。また、ＥＥＰＲＯＭ１６には、第１のデータ群に基づいて運賃を算出するための算出式等を規定したプログラムデータが格納されている。
【００２４】
外部Ｉ／Ｆ１７は、プリンタ２０をタクシーメータ１０に接続するために用いられるタクシーメータ１０側のインタフェースである。タクシーメータ１０とプリンタ２０は、外部Ｉ／Ｆ１７及び外部Ｉ／Ｆ２３を介して無線通信により信号の送受信を行う。尚、本実施形態に係る設定変更システムでは、タクシーメータ１０とプリンタ２０は、無線通信により信号の送受信を行う構成としたが、ケーブルを用いて信号の送受信を行う構成としてもよい。
【００２５】
メモリーカードＩ／Ｏ部１８は、乗務員のデータや営業データ等を格納するための記録媒体であるメモリーカード４０を、タクシーメータ１０に接続するためのインタフェースである。また、メモリーカードＩ／Ｏ部１８は、メモリーカード４０が正確に挿入されたことに応答して、制御部１１に対して検知信号を出力する。
【００２６】
設定カードＩ／Ｏ部１９は、設定カード５０を、タクシーメータ１０に接続するためのインタフェースである。設定カード５０は、タクシーメータ１０の設定を変更する際に用いられ、第１のデータ群のうちの書き換えの対象となる設定項目の設定値が格納されている。例えば、迎車料金及び消費税率が改定されたことによりタクシーメータ１０の設定を変更する場合には、設定カード５０には、書き換え後の迎車料金及び消費税率の設定値が予め記録されている。また、設定カードＩ／Ｏ部１９は、設定カード５０が正確に挿入されたことに応答して、制御部１１に対して検知信号を出力する。
【００２７】
次に、プリンタ２０を構成する各要素について説明する。
図１に示すように、プリンタ２０は、制御部（ＣＰＵ）２１、ＥＥＰＲＯＭ２２、及び外部Ｉ／Ｆ２３を備えている。プリンタ２０は、タクシーメータから出力される運賃情報を受け付け、ＥＥＰＲＯＭ２２に保持されている各種設定項目の設定値等に基づいて領収情報を用紙に印字して出力するための機器である。
【００２８】
制御部２１は、マイクロコンピュータ（ＣＰＵ）により構成されている。制御部２１は、予め用意されたプログラムを実行し、プリンタ２０の機能を実現するために必要な様々な処理を行う。
【００２９】
ＥＥＰＲＯＭ２２は、電気的に書き換え可能なメモリであり、領収情報を用紙に印字する際に必要となる基本料金、深夜早朝割増率、基本走行距離、迎車料金、消費税率、タクシー事業者の名称、及びタクシー事業者を示す図形等のプリンタ２０が有する各種設定項目の設定値が格納されている。本明細書中では、プリンタ２０の設定項目毎に設定値が割り当てられた、ＥＥＰＲＯＭ２２に格納されるデータ群を、第２のデータ群と称する場合がある。
【００３０】
外部Ｉ／Ｆ２３は、プリンタ２０をタクシーメータ１０に接続するために用いられるプリンタ２０側のインタフェースである。
【００３１】
次に、設定変更システム１００の具体的な動作について説明する。
図２は、第１の実施形態における設定変更システム１００における、タクシーメータ１０及びプリンタ２０の設定を変更する際の、タクシーメータ１０及びプリンタ２０の主要な動作をシーケンス図により示している。
【００３２】
まず、タクシーメータ１０の設定を変更する際の動作について説明する。
設定カード５０が作業者により設定カードＩ／Ｏ部１９に挿入されると、設定カードＩ／Ｏ部１９は、制御部１１に対して検知信号を出力する。設定カードＩ／Ｏ部１９からの検知信号を受け付けた制御部１１は、設定カード５０から書き換えの対象となる設定項目の設定値を読み出し、タクシーメータ１０の設定を変更するための処理を開始する。以下第１の実施形態においては、例として、迎車料金及び消費税率が改定されたことによりタクシーメータ１０の設定を変更する場合について説明する。この場合、設定カード５０には、書き換え後の迎車料金及び消費税率の設定値が予め記録されている。
【００３３】
ステップＳ１１では、制御部１１は、共通項目に関するデータをＲＯＭ１５から取得し、書き換えの対象となる設定項目の中に予め定められた共通項目に該当する設定項目が存在するか否かを判定する。共通項目とは、タクシーメータ１０が有する設定項目のうちのプリンタ２０の設定項目と共通する設定項目である。判定の結果、共通項目に該当する設定項目が存在しない場合には、制御部１１は、後述するステップＳ１２の処理は実行せず、ステップＳ１３の処理を実行する。判定の結果、共通項目に該当する設定項目が存在する場合には、制御部１１は、ステップＳ１２の処理を実行する。ステップＳ１１では、より具体的には、例えば共通項目として基本料金が設定されている場合には、設定値を書き換える迎車料金及び消費税率は共通項目に該当しないため、制御部１１は、ステップＳ１３の処理を実行する。一方、例えば共通項目として消費税率が選択されている場合には、設定値を書き換える消費税率が共通項目に該当するため、制御部１１は、ステップＳ１２の処理を実行する。
【００３４】
ステップＳ１２では、制御部１１は、外部Ｉ／Ｆ１７及び外部Ｉ／Ｆ２３を介して、書き換えの対象となる設定項目のうち共通項目に該当する設定項目の書き換え後の設定値をプリンタ２０に対して送信する。本明細書中では、第１のデータ群における書き換えの対象となるタクシーメータ１０の設定項目のうち共通項目に該当する設定項目の書き換え後の設定値を、第１の設定値と称する場合がある。より具体的には、例えば、共通項目として消費税率が選択されている場合には、制御部１１は、書き換えの対象となる迎車料金及び消費税率の設定値のうち、共通項目に該当する消費税率の書き換え後の設定値を第１の設定値としてプリンタ２０に対して送信する。
【００３５】
ステップＳ１３では、制御部１１は、ＥＥＰＲＯＭ１６に格納されている第１のデータ群のうち、書き換えの対象となる設定項目の設定値を設定カード５０から取得した設定値に書き換える。より具体的には、例えば、迎車料金及び消費税率の設定値を所定の値に書き換える。
【００３６】
その後、設定カード５０が作業者により設定カードＩ／Ｏ部１９から挿抜されると、タクシーメータ１０の設定変更処理は終了する。
【００３７】
次に、プリンタ２０の動作について説明する。
設定カード５０が作業者により設定カードＩ／Ｏ部１９に挿入され、設定カードＩ／Ｏ部１９からの検知信号を受け付けたタクシーメータ１０の制御部１１は、プリンタ２０に対して検知信号を出力する。タクシーメータ１０の制御部１１からの検知信号を受け付けたプリンタ２０の制御部２１は、プリンタ２０の設定を変更するための処理を開始する。
【００３８】
ステップＳ２１では、制御部２１は、タクシーメータ１０から送信される第１の設定値を待ち受ける。第１の設定値を受信しない場合には、ステップＳ２１の処理を繰り返す。第１の設定値を受信した場合には、制御部２１は、ステップＳ２２の処理を実行する。
【００３９】
ステップＳ２２では、制御部２１は、ＥＥＰＲＯＭ２２に格納されている第２のデータ群のうち、Ｓ２１において取得した第１の設定値と設定項目が共通する設定項目の設定値を、対応する第１の設定値に書き換える。本明細書中では、第２のデータ群のうち、第１の設定値と設定項目が共通する設定項目の設定値を、第２の設定値と称する場合がある。より具体的には、例えば、共通項目として消費税率が選択されており書き換え後の消費税率の設定値を第１の設定値として受信した場合には、制御部２１は、ＥＥＰＲＯＭ２２に格納されている第２の設定値である消費税率の設定値を、受信した第１の設定値である消費税率の設定値に書き換える。
【００４０】
その後、設定カード５０が作業者により設定カードＩ／Ｏ部１９から挿抜されると、プリンタ２０の設定変更処理は終了する。即ち、設定カードが作業者により設定カードＩ／Ｏ部１９から挿抜されると、タクシーメータ１０及びプリンタ２０の設定変更処理は終了する。
【００４１】
以上の処理により、タクシーメータ１０及びプリンタ２０の設定が変更される。これにより例えば、プリンタ２０は、設定の変更後に、操作部１３からの操作入力により領収情報を用紙に印字して出力する際には、ＥＥＰＲＯＭ２２に保持されている書き換え後の設定項目の設定値に基づいて処理を行う。
【００４２】
［第２の実施形態］
第１の実施形態に係る設定変更システムでは、タクシーメータ１０とシステム機器であるプリンタ２０とが通信して設定値の書き換えに関する情報を授受することにより、タクシーメータ１０及びプリンタ２０の設定が変更されるのに対して、第２の実施形態に係る設定変更システムでは、タクシーメータ１０とシステム機器である事務所システム３０とが記憶媒体であるメモリーカード４０を介して設定値の書き換えに関する情報を授受することにより、タクシーメータ１０及び事務所システム３０の設定が変更される。
【００４３】
以下、第２の実施形態に係る設定変更システムのハードウェアの構成のうち、第１の実施形態に係る設定変更システムと同一である部分については記載を省略して説明する。また、第１の実施形態の各要素の符号を援用して説明する。
【００４４】
第２の実施形態に係る設定変更システム１００は、図３に示すように、タクシーメータ１０と、タクシーメータ１０に付随して使用されるシステム機器である事務所システム３０と、から構成される。タクシーメータ１０は、タクシーの車両内部に取付けられるのに対して、事務所システム３０は、例えばタクシー運転者が入庫作業及び出庫作業を行うタクシー事業者の事務所内に配置される。第２の実施形態に係る設定変更システム１００は、これらタクシーメータ１０及び事務所システム３０の設定を変更するためのシステムである。以下では、タクシーメータ１０を構成する各要素についての記載は省略し、事務所システム３０を構成する各要素について説明する。
【００４５】
図３に示すように、事務所システム３０は、例えばＰＣにより構成され、制御部（ＣＰＵ）３１、メモリ３２、及び外部Ｉ／Ｆ３３を備えている。事務所システム３０は、タクシーメータから出力される営業データを、メモリーカード４０を介して取得して、メモリ３２に保持されている各種設定項目の設定値等を参照して営業データを基に解析を行い、例えば営業日報を作成するための機器である。
【００４６】
制御部３１は、マイクロコンピュータ（ＣＰＵ）により構成されている。制御部３１は、予め用意されたプログラムを実行し、事務所システム３０の機能を実現するために必要な様々な処理を行う。
【００４７】
メモリ３２は、電気的に書き換え可能なメモリであり、営業データを解析して営業日報を作成する際に必要となる基本料金、深夜早朝割増率、基本走行距離、迎車料金、消費税率、タクシー事業者の名称、及びタクシー事業者を示す図形等の事務所システム３０が有する各種設定項目の設定値が格納されている。本明細書中では、事務所システム３０の設定項目毎に設定値が割り当てられた、メモリ３２に格納されるデータ群を、第３のデータ群と称する場合がある。尚、第３のデータ群は、本発明の第１の実施形態における第２のデータ群と同一の機能を有するものである。即ち、第３のデータ群は、課題を解決するための手段の記載における第２のデータ群に相当する。第２の実施形態では、本発明の第１の実施形態における第２のデータ群との混同を防ぐために、第３のデータ群という称呼を用いている。
【００４８】
メモリーカードＩ／Ｏ部３３は、乗務員のデータや営業データ等を格納するための記録媒体であるメモリーカード４０を、事務所システム３０に接続するためのインタフェースである。メモリーカードＩ／Ｏ部３３は、メモリーカード４０が正確に挿入されたことに応答して、制御部３１に対して検知信号を出力する。
【００４９】
メモリーカード４０は、可搬型の記憶媒体により構成されており、メモリーカードＩ／Ｏ部１８及びメモリーカードＩ／Ｏ部３３により、タクシーメータ１０及び事務所システム３０に対して着脱自在に取付けられる。メモリーカード４０には、タクシーの営業状態を示す営業データとして、例えば乗車時刻、乗車地点の位置情報、降車時刻、降車地点の位置情報、乗車区間距離、及び運賃等が記録されている。
【００５０】
次に、設定変更システム１００の具体的な動作について説明する。
図４（ａ）は、第２の実施形態に係る設定変更システム１００における、タクシーメータ１０及び事務所システム３０の設定を変更する際の、タクシーメータ１０の設定変更時の主要な動作を示すフローチャートである。図４（ｂ）は、タクシーメータ１０の営業データをメモリーカード４０に書き込む際の、タクシーメータ１０の主要な動作を示すフローチャートである。図５は、事務所システム３０の設定変更時及び営業データ読み出し時の主要な動作を示すフローチャートである。
【００５１】
まず、図４（ａ）を参照して、タクシーメータ１０の設定を変更する際の動作について説明する。ステップＳ３２以外における処理は、図２に示す第１の実施形態における処理と同一であるので記載を省略する。ただし、以下、第２の実施形態においては、共通項目とは、タクシーメータ１０が有する設定項目のうちの事務所システム３０の設定項目と共通する設定項目を指す。
【００５２】
ステップＳ３２では、制御部１１は、ＲＡＭ１４に保持されている共通項目変更フラグをＯＮにする。
【００５３】
次に、図４（ｂ）を参照して、タクシーメータ１０の営業データをメモリーカード４０に書き込む際の動作について説明する。メモリーカード４０が作業者によりメモリーカードＩ／Ｏ部１８に挿入されると、メモリーカードＩ／Ｏ部１８は、制御部１１に対して検知信号を出力する。メモリーカードＩ／Ｏ部１８からの検知信号を受け付けた制御部１１は、営業データをメモリーカード４０に書き込むための処理を開始する。尚、本実施形態では、メモリーカード４０が挿入されることにより制御部１１が処理を開始する構成としたが、操作部１３により操作入力を受け付けることにより制御部１１が処理を開始する構成としてもよい。
【００５４】
ステップＳ４１では、制御部１１は、ＲＡＭ１４に保持されている共通項目変更フラグの状態を判定する。判定の結果、共通項目変更フラグがＯＦＦであると判断した場合には、後述するステップＳ４２及びステップＳ４３の処理は実行せず、ステップＳ４４の処理を実行する。一方、判定により共通項目変更フラグがＯＮであると判断した場合には、ステップＳ４２の処理を実行する。
【００５５】
ステップＳ４２では、制御部１１は、メモリーカード４０に保持されている共通項目変更フラグをＯＮにする。また、ステップＳ４２では、制御部１１は、書き換えの対象となる設定項目のうち共通項目に該当する設定項目の書き換え後の設定値、即ち第１の設定値を、メモリーカード４０に書き込む。このため、本実施形態においては、設定カードが挿抜されて図４（ａ）に示す処理が終了する前に、制御部１１は、前回の書き換えに関する情報をＲＡＭ１４に保持させている。
【００５６】
ステップＳ４３では、制御部１１は、ＲＡＭ１４に保持されている共通項目変更フラグをＯＦＦにする。
【００５７】
ステップＳ４４では、制御部は、ＲＡＭ１４に保持されている営業データをメモリーカード４０に書き込む。
【００５８】
その後、メモリーカード４０が作業者によりメモリーカードＩ／Ｏ部１８から挿抜されると、タクシーメータ１０の処理は終了する。
【００５９】
次に、図５を参照して、事務所システム３０の設定変更及び営業データ読み出し時の動作について説明する。メモリーカード４０が作業者によりメモリーカードＩ／Ｏ部３３に挿入されると、メモリーカードＩ／Ｏ部３３は、制御部３１に対して検知信号を出力する。メモリーカードＩ／Ｏ部３３からの検知信号を受け付けた制御部３１は、図５に示す処理を開始する。
【００６０】
ステップＳ５１では、制御部３１は、メモリーカード４０に保持されている共通項目変更フラグの状態を判定する。判定の結果、共通項目変更フラグがＯＦＦであると判断した場合には、後述するステップＳ５２の処理は実行せず、ステップＳ５３の処理を実行する。一方、判定により共通項目変更フラグがＯＮであると判断した場合には、ステップＳ５２の処理を実行する。
【００６１】
ステップＳ５２では、まず、制御部３１は、メモリーカード４０に保持されている第１の設定値を取得する。その後、制御部２１は、メモリ３２に格納されている第３のデータ群のうち、第１の設定値と設定項目が共通する設定項目の設定値を、対応する第１の設定値に書き換える。本明細書中では、第３のデータ群のうち、第１の設定値と設定項目が共通する設定項目の設定値を、第３の設定値と称する場合がある。尚、第３の設定値は、本発明の第１の実施形態における第２の設定値と同一の機能を有するものである。即ち、第３の設定値は、課題を解決するための手段の記載における第２の設定値に相当する。第２の実施形態では、本発明の第１の実施形態における第２の設定値との混同を防ぐために、第３の設定値という称呼を用いている。
【００６２】
ステップＳ５３では、制御部３１は、営業データをメモリーカード４０から読み出し、取得した営業データを事務所システムが備えるＲＡＭ（図示せず。）に記録する。その後、制御部３１は、書き換えられた設定項目の設定値を参照して、営業データを解析し、例えば営業日報を作成する。
【００６３】
その後、メモリーカード４０が作業者によりメモリーカードＩ／Ｏ部３３から挿抜されると、事務所システム３０の処理は終了する。
【００６４】
以下では、第１の実施形態及び第２の実施形態に係る設定変更システム１００の作用及び効果について説明する。
【００６５】
第１の実施形態及び第２の実施形態に係る設定変更システム１００は、ＥＥＰＲＯＭ１６を有するタクシーメータ１０と、ＥＥＰＲＯＭ２２（メモリ３２）と、制御部２１（制御部３１）と、を有するプリンタ２０（事務所システム３０）と、を備え、タクシーメータ１０は、ＥＥＰＲＯＭ１６が、設定値が設定項目毎に割り当てられた第１のデータ群を記憶し、プリンタ２０（事務所システム３０）は、ＥＥＰＲＯＭ２２（メモリ３２）が、設定値が設定項目毎に割り当てられた第２のデータ群（第３のデータ群）を記憶し、ＥＥＰＲＯＭ１６に記憶された第１のデータ群のうち、少なくとも一部の設定値が第１の設定値に書き換えられた場合、制御部２１（制御部３１）が、ＥＥＰＲＯＭ２２（メモリ３２）に記憶された第２のデータ群（第３のデータ群）のうちの第１の設定値と設定項目が共通する設定値の少なくとも一部を、第１の設定値に書き換える、設定変更システムである。
【００６６】
これにより、第１の記憶部に記憶された第１のデータ群のうち、少なくとも一部の設定値が第１の設定値に書き換えられた場合、第２の記憶部に記憶された第２のデータ群のうちの第１の設定値と設定項目が共通する第２の設定値の少なくとも一部が、第１の設定値に書き換えられる。
【００６７】
この結果、タクシーメータの設定が変更された際には、同時にシステム機器の設定も変更される。故に、システム機器ごとに設定を行う必要がなく、作業者の作業効率が向上する。また、タクシーメータの設定を行う際にそれに付随するシステム機器の設定を忘れることをを防止することができ、タクシーメータとシステム機器間の設定のズレに起因するシステム機器の誤作動を防止することができる。よって、実施形態に係る設定変更システムによれば、作業者がタクシーメータ及びシステム機器の設定変更をより容易に行うことができる設定変更システムを提供できる。
【００６８】
第１の実施形態に係る設定変更システム１００は、ＥＥＰＲＯＭ１６と、制御部１１と、外部Ｉ／Ｆ１７と、を有するタクシーメータ１０と、ＥＥＰＲＯＭ２２と、外部Ｉ／Ｆ２３と、制御部２１と、を有するプリンタ２０と、を備え、タクシーメータ１０は、ＥＥＰＲＯＭ１６が、設定値が設定項目毎に割り当てられた第１のデータ群を記憶し、制御部１１が、ＥＥＰＲＯＭ１６に記憶された第１のデータ群のうち、少なくとも一部の設定値が書き換えられたことを検出した場合、外部Ｉ／Ｆ１７が、書き換えられた設定値の少なくとも一部である第１の設定値をプリンタ２０に送信し、プリンタ２０は、ＥＥＰＲＯＭ２２が、設定値が設定項目毎に割り当てられた第２のデータ群を記憶し、外部Ｉ／Ｆ２３がタクシーメータ１０から第１の設定値を受信し、制御部２１が、ＥＥＰＲＯＭ２２に記憶された第２のデータ群のうちの第１の設定値と設定項目が共通する第２の設定値の少なくとも一部を、第１の設定値に書き換える、設定変更システムである。
【００６９】
これにより、タクシーメータとシステム機器であるプリンタとが通信して設定値の書き換えに関する情報を授受することにより、第１の記憶部に記憶された第１のデータ群のうち、少なくとも一部の設定値が第１の設定値に書き換えられた場合、第２の記憶部に記憶された第２のデータ群のうちの第１の設定値と設定項目が共通する第２の設定値の少なくとも一部が、第１の設定値に書き換えられる。
【００７０】
この結果、タクシーメータとシステム機器とが通信して設定値の書き換えに関する情報を授受するために、システム機器の設定の変更の度に、タクシーメータとシステム機器とをケーブル等により接続する必要がない。このため、作業者の作業効率がさらに向上する。また、ケーブルにより接続する必要がなく設定変更処置は自動的に実行されるために、タクシーメータの設定を行う際にそれに付随するシステム機器の設定を忘れることを、さらに防止することができる。よって、実施形態に係る設定変更システムによれば、作業者がタクシーメータ及びシステム機器の設定変更をより容易に行うことができる設定変更システムを提供できる。
【００７１】
第２の実施形態に係る設定変更システム１００は、ＥＥＰＲＯＭ１６と、制御部１１と、を有するタクシーメータ１０と、メモリ３２と、制御部３１と、を有する事務所システム３０と、タクシーメータ１０及び事務所システム３０に着脱自在に取付けられる可搬型のメモリーカード４０と、を備え、タクシーメータ１０は、ＥＥＰＲＯＭ１６が、設定値が設定項目毎に割り当てられた第１のデータ群を記憶し、制御部１１が、ＥＥＰＲＯＭ１６に記憶された第１のデータ群のうち、少なくとも一部の設定値が書き換えられたことを検出した場合、書き換えられた設定値の少なくとも一部である第１の設定値をメモリーカード４０に書き込み、事務所システム３０は、メモリ３２が、設定値が設定項目毎に割り当てられた第３のデータ群を記憶し、制御部３１が、メモリーカード４０から第１の設定値を読み取り、メモリ３２に記憶された第３のデータ群のうちの第１の設定値と設定項目が共通する第３の設定値の少なくとも一部を、第１の設定値に書き換える、設定変更システムである。
【００７２】
これにより、タクシーメータとシステム機器である事務所システムとが記憶媒体を介して設定値の書き換えに関する情報を授受することにより、第１の記憶部に記憶された第１のデータ群のうち、少なくとも一部の設定値が第１の設定値に書き換えられた場合、第２の記憶部に記憶された第２のデータ群のうちの第１の設定値と設定項目が共通する第２の設定値の少なくとも一部が、第１の設定値に書き換えられる。
【００７３】
この結果、タクシー車両内部又はその近傍に搭載されるシステム機器だけではなく、車両から離れた場所に配置されて使用されるシステム機器についても、タクシーメータの設定のみで当該システム機器の設定をも変更することができ、作業者の作業効率が向上する。また、タクシーメータの設定を行う際に、車両から離れた場所に配置されたシステム機器の設定を忘れることをを防止することができ、タクシーメータとシステム機器間の設定のズレに起因するシステム機器の誤作動を防止することができる。よって、実施形態に係る設定変更システムによれば、作業者がタクシーメータ及びシステム機器の設定変更をより容易に行うことができる設定変更システムを提供できる。
【００７４】
尚、本発明の技術的範囲は、上述した実施形態に限定されるものではない。上述した実施形態は、本発明の技術的範囲内で種々の変形や改良等を伴うことができる。
【００７５】
例えば、実施形態では、設定カード５０を用いて書き換えの対象となるタクシーメータ１０の設定項目の設定値を制御部１１が読み出して設定変更処理を実行する構成としたが、外部Ｉ／Ｆを介して取付け可能な設定器、或いは無線通信により接続可能な設定装置等を用いる構成としてもよい。
【００７６】
また、第１の実施形態では、共通項目とは、タクシーメータ１０が有する設定項目のうちのプリンタ２０の設定項目と共通する設定項目である、としたが、共通項目とは、タクシーメータ１０が有する設定項目のうちのプリンタ２０の設定項目と共通する設定項目であって、例えばタクシー事業者等により、共通する設定項目の中から任意に選択して定められている設定項目である、としてもよい。これにより、タクシー事業者は、タクシーメータ１０の設定変更に連動して設定を変更するプリンタ２０の設定項目を任意に選択することができる。
【００７７】
また、第１の実施形態では、図２のステップＳ１１において、制御部１１が共通項目に関するデータをＲＯＭ１５から取得して、書き換えの対象となる設定項目の中に予め定めた共通項目に該当する設定項目が存在するか否かを判定し、ステップＳ１２において、第１の設定値をプリンタ２０に対して送信し、ステップＳ２２において、制御部２１がＥＥＰＲＯＭ２２に格納されている第２のデータ群のうち、第１の設定値と設定項目が共通する設定項目の設定値を、対応する第１の設定値に書き換える構成としたが、制御部１１が書き換えの対象となる設定項目の書き換え後の設定値の少なくとも一部をプリンタ２０に対して送信し、制御部２１が共通項目に関するデータをプリンタ２０が備えるＲＯＭ（図示せず。）から取得して、制御部１１から受信した書き込み後の設定値を基に書き換えの対象となる設定項目の中に予め定めた共通項目に該当する設定項目が存在するか否かを判定し、ＥＥＰＲＯＭ２２に格納されている第２のデータ群のうち、当該設定値と設定項目が共通する設定項目の設定値の少なくとも一部を、対応する設定値に書き換える構成としてもよい。
【００７８】
また、第２の実施形態では、図４（ｂ）のステップＳ４２において、制御部１１がＲＡＭ１５から取得した共通項目に関するデータを参照して、第１の設定値をメモリーカード４０に書き込み、図５のステップＳ５２において、制御部２１がメモリ３２に格納されている第３のデータ群のうち、第１の設定値と設定項目が共通する設定項目の設定値を、対応する第１の設定値に書き換える構成としたが、制御部１１が書き換えの対象となる設定項目の書き換え後の設定値の少なくとも一部をメモリーカード４０に書き込み、制御部２１が共通項目に関するデータを事務所システム３０が備えるＲＯＭ（図示せず。）から取得して、制御部１１から受信した書き込み後の設定値を基に書き換えの対象となる設定項目の中に予め定めた共通項目に該当する設定項目が存在するか否かを判定し、メモリ３２に格納されている第３のデータ群のうち、当該設定値と設定項目が共通する設定項目の設定値の少なくとも一部を、対応する設定値に書き換える構成としてもよい。
【符号の説明】
【００７９】
１００  設定変更システム
１０  タクシーメータ
１１  制御部（ＣＰＵ）
１２  表示部
１３  操作部
１４  ＲＡＭ
１５  ＲＯＭ
１６  ＥＥＰＲＯＭ
１７  外部Ｉ／Ｆ
１８  メモリーカードＩ／Ｏ部
１９  設定カードＩ／Ｏ部
２０  プリンタ
２１  制御部（ＣＰＵ）
２２  ＥＥＰＲＯＭ
２３  外部Ｉ／Ｆ
３０  事務所システム
３１  制御部（ＣＰＵ）
３２  メモリ
３３  メモリーカードＩ／Ｏ部
４０  メモリーカード
５０  設定カード
【図１】
0005869326.tif 000002
【図２】
0005869326.tif 000003
【図３】
0005869326.tif 000004
【図４】
0005869326.tif 000005
【図５】
0005869326.tif 000006